(57)【要約】【課題】載置物が載置可能な天面部の下方にプラグ差込口が設けられた厨房装置において、仮に、載置された載置物が倒れた場合であっても、載置物に収容された水等からプラグ差込口を保護できる厨房装置及びこれに取り付けられるカバー部材を提供する。【解決手段】本発明の厨房装置は、調理台１と、この調理台１に立設された立壁部３と、この立壁部３の上端に設けられ載置物を載置可能な天面部４と、立壁部３において前記天面部４よりも下方に設けられたプラグ差込口５３と、このプラグ差込口５３の上方を覆うようにして前記立壁部３に設けられたカバー部８とを備えている。【選択図】図１
2013215470.tif 000002
【特許請求の範囲】
【請求項１】
調理台と、
この調理台に立設された立壁部と、
この立壁部の上端に設けられ載置物を載置可能な天面部と、
前記立壁部において前記天面部よりも下方に設けられたプラグ差込口と、
このプラグ差込口の上方を覆うようにして前記立壁部に設けられたカバー部と
を備えている
ことを特徴とする厨房装置。
【請求項２】
前記プラグ差込口は、調理スペース側に面する前記立壁部の側面に配置されている
ことを特徴とする請求項１記載の厨房装置。
【請求項３】
前記プラグ差込口は、前記立壁部に設けられたコンセント部に設けられており、
前記カバー部の横方向の長さは、前記コンセント部の横方向の長さよりも長く形成されている
ことを特徴とする請求項１または請求項２のいずれかに記載の厨房装置。
【請求項４】
前記カバー部は、前方に向かうほど下方に位置するよう傾斜している
ことを特徴とする請求項１乃至請求項３のいずれか一項に記載の厨房装置。
【請求項５】
前記立壁部の前記天面部よりも下方には横方向に長い凹溝部が形成されており、
前記カバー部には、前記凹溝部に挿入される突条部が設けられており、
前記突条部が凹溝部に挿入されることでカバー部が立壁部に着脱自在に取り付けられている
ことを特徴とする請求項１乃至請求項４のいずれか一項に記載の厨房装置。
【請求項６】
請求項１乃至請求項５のいずれか一項に記載の厨房装置に取り付けられるカバー部材であって、
前記プラグ差込口を覆う庇部と、
前記庇部の後端に設けられた突条部と
を備え、
前記立壁部の前記プラグ差込口よりも上方に設けられた横方向に長い凹溝部に、前記突条部が挿入されて、これにより前記立壁部に着脱自在に取り付けられる
ことを特徴とするカバー部材。
【発明の詳細な説明】
【技術分野】
【０００１】
本発明は、厨房装置、及びこれに取り付けられるカバー部材に関する。
【背景技術】
【０００２】
従来、キッチンユニット等の厨房装置が知られている（例えば特許文献１参照）。
【０００３】
特許文献１のキッチンユニットは、対面式のキッチンユニットである。キッチンユニットは、立壁部と、カウンター部とを備えている。カウンター部は、立壁部の上端に設けられている。カウンター部には、例えば、コップや湯呑み茶碗等（以下、コップ等という）の載置物を載置できるようになっている。
【先行技術文献】
【特許文献】
【０００４】
【特許文献１】特開２００５−４０３７０号公報
【発明の概要】
【発明が解決しようとする課題】
【０００５】
ところでこの種のキッチンユニットは、カウンター部よりも下方の位置に、プラグを差し込んで接続するためのプラグ差込口が設けられる場合がある。しかしながら、このプラグ差込口が設けられた特許文献１のようなキッチンユニットは、カウンター部に水等の入ったコップ等が載置されると、コップ等が倒れた場合に、プラグ差込口に向かって水等が流れ込む可能性がある。
【０００６】
本発明は、上記事情に鑑みてなされたものであり、その目的とするところは、載置物が載置可能な天面部の下方にプラグ差込口が設けられた厨房装置において、仮に、載置された載置物が倒れた場合であっても、載置物に収容された水等からプラグ差込口を保護できる厨房装置及びこれに取り付けられるカバー部材を提供することにある。
【課題を解決するための手段】
【０００７】
本発明の厨房装置は、調理台と、この調理台に立設された立壁部と、この立壁部の上端に設けられ載置物を載置可能な天面部と、前記立壁部において前記天面部よりも下方に設けられたプラグ差込口と、このプラグ差込口の上方を覆うようにして前記立壁部に設けられたカバー部とを備えていることを特徴とする。
【０００８】
またこの厨房装置において、前記プラグ差込口は、調理スペース側に面する前記立壁部の側面に配置されていることが好ましい。
【０００９】
またこの厨房装置において、前記プラグ差込口は、前記立壁部に設けられたコンセント部に設けられており、前記カバー部の横方向の長さは、前記コンセント部の横方向の長さよりも長く形成されていることが好ましい。
【００１０】
またこの厨房装置において、前記カバー部は、前方に向かうほど下方に位置するよう傾斜していることが好ましい。
【００１１】
またこの厨房装置において、前記立壁部の前記天面部よりも下方には横方向に長い凹溝部が形成されており、前記カバー部には、前記凹溝部に挿入される突条部が設けられており、前記突条部が凹溝部に挿入されることでカバー部が立壁部に着脱自在に取り付けられていることが好ましい。
【００１２】
また本発明のカバー部材は，上記厨房装置に取り付けられるカバー部材であって、前記プラグ差込口を覆う庇部と、前記庇部の後端に設けられた突条部とを備え、前記立壁部の前記プラグ差込口よりも上方に設けられた横方向に長い凹溝部に、前記突条部が挿入されて、これにより前記立壁部に着脱自在に取り付けられることを特徴とする。
【発明の効果】
【００１３】
本発明の厨房装置によれば、仮に、天面部に載置された載置物が倒れ、載置物内から水等が流下したとしても、プラグ差込口の上方がカバー部により覆われているため、水等がプラグ差込口に流れ込むのを防止することができる。
【００１４】
つまり、本発明の厨房装置によれば、載置物が載置可能な天面部の下方にプラグ差込口が設けられた厨房装置において、仮に載置物が倒れた場合であっても、載置物に収容された水等からプラグ差込口を保護することができる。
【００１５】
また本発明のカバー部材によれば、仮に、厨房装置の天面部に載置された載置物が倒れ、載置物内から水等が流下したとしても、プラグ差込口の上方にカバー部材を設置することで、水等がプラグ差込口に流れ込むのを防止することができる。
【００１６】
つまり、本発明のカバー部材によれば、載置物が載置可能な天面部の下方にプラグ差込口が設けられた厨房装置において、仮に載置物が倒れた場合であっても、載置物に収容された水等からプラグ差込口を保護することができる。
【図面の簡単な説明】
【００１７】
【図１】本実施形態の厨房装置の要部側断面図である。
【図２】本実施形態の厨房装置の全体斜視図である。
【図３】本実施形態の厨房装置の照明装置の要部断面図である。
【図４】本実施形態の厨房装置のカバー部（カバー部材）の斜視図である。
【発明を実施するための形態】
【００１８】
以下、本発明の実施形態について添付図面に基づいて説明する。
【００１９】
本実施形態の厨房装置は、対面式のシステムキッチンである。厨房装置は、図２に示されるように、調理台１と、副台部２とを備えている。なお、以下、調理台１から調理作業を行なう使用者に向かう方向を前方向（前方）とし、その反対側に向かう方向を後方向（後方）として定義する。
【００２０】
調理台１は、キャビネットにより構成されている。調理台１は、左右方向に長さを有する箱形状となっている。調理台１は、カウンタートップ１１を有している。カウンタートップ１１は、調理台１の上面を構成する。
【００２１】
調理台１は、加熱調理器１２と、シンク１３と、調理スペース１４とを備えている。加熱調理器１２は、調理台１の左右方向の第一端側に設けられている。加熱調理器１２は、調理台１に埋設されている。すなわち、加熱調理器１２は、ビルトイン型の加熱調理器１２である。シンク１３は、調理台１の第一端とは反対側の第二端側に設けられている。調理スペース１４は、加熱調理器１２とシンク１３との間に設けられている。
【００２２】
副台部２は、調理台１から上方に向かって突出している。副台部２は、立壁部３と、天面部４と、コンセント部５と、照明装置６とを備えている。
【００２３】
立壁部３は、調理台１のカウンタートップ１１の後端から上方に向かって突出している。言い換えると、立壁部３は、調理台１に立設されている。立壁部３は、調理台１の左右方向の全長に亘って設けられている。立壁部３は、図１に示されるように、立壁部本体３１と、表面板３２とを備えている。立壁部本体３１は、第１の木質板３３と、第２の木質板３４と、第３の木質板３５とを有している。立壁部本体３１は、後方から前方に向かって、順に、第３の木質板３５・第２の木質板３４・第１の木質板３３と並設されて、積層一体化されている。表面板３２は、立壁部本体３１の前方側の面に固着されている。言い換えると、表面板３２は、第１の木質板３３の前面に固着されている。表面板３２は、化粧面を構成している。
【００２４】
また、立壁部３は、図２に示されるように、水栓３６を有している。水栓３６は、シンク１３の上方に設けられている。水栓３６は、給水管（図示せず）に接続されている。給水管は、立壁部本体３１の厚み内に配管される。
【００２５】
天面部４は、立壁部３の上端に設けられている。言い換えると、天面部４は副台部２の上端を構成する。天面部４の上面は、略水平となっている。天面部４は、前後方向に幅を有している。天面部４は、左右方向に長さを有している。天面部４は、調理台１の左右方向の略全長に亘って設けられている。天面部４は、載置物を載置できるようになっている。天面部４は、張出部４１を有している。張出部４１は、立壁部３の前面よりも前方に突出した部分である。
【００２６】
立壁部３は、図１に示されるように、切欠部３７を有している。切欠部３７は、第１の木質板３３の上端が切り込まれることで形成されている。切欠部３７は、前方に開口している。切欠部３７は、立壁部３の上端部と張出部４１とのなすコーナー部分に設けられている。切欠部３７は、左右方向に長さを有している。切欠部３７は、左右方向の一方の端部である第一端部と、他方の端部である第二端部とを有している。第一端部は、シンク１３の上方であって、調理スペース１４とは反対側の端部の上方に位置している。第二端部は、調理スペース１４の上方であって、シンク１３とは反対側の端部の上方に位置している。言い換えると、切欠部３７は、シンク１３に対応する部分から調理スペース１４に対応する部分までの範囲で形成されている。
【００２７】
切欠部３７には、設置台７が配置される。設置台７には照明装置６が取り付けられる。設置台７は、図１に示されるように、設置台本体７１と、係止具７２と、前カバー７３とを備えている。
【００２８】
係止具７２は、立壁部３の第２の木質板３４の上端及び張出部４１に固定されている。係止具７２は、断面逆Ｌ字状に形成されている。係止具７２は、縦片部７２１と、水平片部７２２と、段部７２３とを備えている。段部７２３は、水平片部７２２の前端から前方に向かって延出している。段部７２３の前端は、水平片部７２２よりも下方に設けられている。これにより、段部７２３の上面と張出部４１の下面との間には、間隙が形成される。
【００２９】
設置台本体７１は、第１の木質板３３と天面部４とに跨って取り付けられている。設置台本体７１は、下固定部７１１と、傾斜面部７１２と、前面部７１３と、上固定部７１４とを備えている。下固定部７１１は、第１の木質板３３の上端に固定される。傾斜面部７１２は、下固定部７１１の上端から上方側に向かうほど前方に位置する方向に向かって延出している。前面部７１３は、傾斜面部７１２の上端から鉛直上方に向かって延出している。上固定部７１４は、前面部７１３の上端から後方側に向かって延出している。上固定部７１４は、段部７２３と張出部４１との間に挿入される。このように設置台本体７１は、下固定部７１１が第１の木質板３３に固定されると共に、上固定部７１４が段部７２３と張出部４１との間で固定され、これにより副台部２に固定される。
【００３０】
前面部７１３の下端には、水切り部７１５が設けられている。水切り部７１５は、前面部７１３の下端から下方に向かって突出している。これにより、水切り部７１５は、前面部７１３を伝って流下する水等を、傾斜面部７１２に伝わりにくくして、下方に落下させる。
【００３１】
傾斜面部７１２には、照射開口７１６が設けられている。照射開口７１６は、左右方向に長さを有している。照射開口７１６は、傾斜面部７１２の傾斜方向に沿って幅を有している。照射開口７１６は、照明装置６から発せられた光を通過させるために設けられている。
【００３２】
設置台本体７１は、例えばアルミにより形成されている。設置台本体７１は、例えば押出成形により形成される。
【００３３】
前カバー７３は、照射開口７１６を覆うようにして配置されている。前カバー７３は、設置台本体７１の傾斜面部７１２の前方に配置されている。前カバー７３は板状の透明部材により構成されている。前カバー７３は、例えば、透光性を有する樹脂により構成されている。
【００３４】
照明装置６は、設置台本体７１と係止具７２との間の空間内に配置されている。照明装置６は、図３に示されるように、光源部６１と、導光部材６２とを備えている。光源部６１は、例えば、ＬＥＤにより構成されている。導光部材６２は、左右方向に長さを有している。導光部材６２は、入射面６３と、出射面６４とを有している。入射面６３は、光源部６１に隣接配置される。入射面６３は、導光部材６２の長さ方向の端面に設けられている。入射面６３は、光源部６１から発せられた光を、導光部材６２内部に取り込むための面である。出射面６４は、入射面６３から入射した光を導光部材６２の外部に出射するための面である。出射面６４は、導光部材６２の長さ方向の略全長に亘って設けられている。出射面６４は、照射開口７１６に対応するよう配置される。
【００３５】
なお、導光部材６２には、断面において出射面６４に対向する部分に、光拡散部（図示せず）が設けられている。導光部材６２内を全反射して進行した光は、この光拡散部に反射・拡散することにより、出射面６４から出射する。
【００３６】
立壁部３には、図１に示されるように、凹溝部３８が形成されている。具体的に、凹溝部３８は、設置台本体７１の下端部に設けられている。凹溝部３８は、左右方向に長さを有している。言い換えると、凹溝部３８は横方向に長い。凹溝部３８は、立壁部３の前面から凹没するよう設けられている。凹溝部３８は、後方に向かうほど上方に位置するよう傾斜している。凹溝部３８の先端には、突起部が設けられている。突起部は、上方に向かって突出する。凹溝部３８の横方向の長さは、設置台７と同じ長さとなるよう形成されている。言い換えると、凹溝部３８は、シンク１３に対応する部分から調理スペース１４に対応する部分までの範囲で形成されている。凹溝部３８には、例えば、後述のカバー部８や市販のハンギングフックが挿入されて係止される。
【００３７】
凹溝部３８は、天面部４よりも下方に設けられている。凹溝部３８のさらに下方には、コンセント部５が設けられている。
【００３８】
コンセント部５は、調理台１の調理スペース１４の上方に設けられている。コンセント部５は、立壁部３に設けられている。言い換えると、コンセント部５は、調理スペース１４側に面する立壁部３の側面に配置されている。また、コンセント部５は、天面部４よりも下方に設けられている。コンセント部５には、厨房装置の外側に配置された電源部（図示せず）が接続されている。コンセント部５と電源部とは、配線ケーブル５５を介して接続されている。この配線ケーブル５５は、立壁部３の厚み内に配線される。コンセント部５には、プラグが接続される。プラグは、例えば、調理器具等の電気機器に接続されている。これによりコンセント部５は、電気機器に電力を供給する。
【００３９】
コンセント部５は、左右方向に長さを有している。またコンセント部５は、上下方向にも長さを有している。言い換えると、コンセント部５は、正面視略矩形状をしている。
【００４０】
コンセント部５は、コンセント部本体５１と、コンセントカバー５２とを備えている。コンセント部本体５１は、プラグ差込口５３を有している。コンセント部本体５１は、立壁部３に埋設されている。コンセント部本体５１は、プラグ差込口５３が前方に向かうようにして配置されている。プラグ差込口５３は、複数または単数設けられている。プラグ差込口５３には、電気機器に設けられたプラグが接続されるようになっている。
【００４１】
コンセントカバー５２は、開口部５４を有している。開口部５４には、コンセント部本体５１が挿入される。これによりコンセントカバー５２は、コンセント部本体５１と立壁部３との間の隙間を覆う。またコンセント部本体５１の前面は、開口部５４を介して露出する。
【００４２】
コンセント部５の上方には、カバー部８が配置されている。カバー部８は、図１に示されるように、コンセント部５の上方を覆う。言い換えると、カバー部８は、プラグ差込口５３の上方を覆うようにして立壁部３に設けられている。カバー部８は、天面部４とコンセント部５との間に設けられている。カバー部８は、立壁部３の調理スペース１４側の面から前方に向かって突出している。本実施形態のカバー部８は、副台部２とは別体のカバー部材８０により構成されている。
【００４３】
カバー部８は、図１，４に示されるように、庇部８１と、立上部８２と、垂下片部８３と、突条部８４とを備えている。庇部８１は、立壁部３に取り付けられた状態で、前方に向かうほど下方に位置するよう傾斜している。立上部８２は、庇部８１の前方側の先端から上方に向かって延出している。垂下片部８３は、庇部８１の後方側の端部から下方に向かって延出している。突条部８４は、庇部８１の後方側の端部から後方に向かって延出している。突条部８４は、後方に向かうほど上方に位置するよう傾斜している。突条部８４は、下方に凸となるよう湾曲している。突条部８４の断面形状は、凹溝部３８の断面形状と略同じような形状となっている。これにより、突条部８４は、立壁部３の凹溝部３８内に挿入される。
【００４４】
カバー部８は、凹部８５を有している。凹部８５には、凹溝部３８に設けられた突起部３８１が嵌入する。凹部８５は、垂下片部８３と突条部８４とのなすコーナー部分に設けられている。凹部８５は、上方に向かって凹没している。
【００４５】
カバー部８は、左右方向に長さを有している。カバー部８は前後方向に幅を有している。カバー部８の左右方向（横方向）の長さは、コンセント部５の左右方向（横方向）の長さよりも長く形成されている。
【００４６】
カバー部８は、突条部８４が凹溝部３８内に挿入されると、垂下片部８３が設置台７の前面に当接する。また凹部８５に、凹溝部３８の突起部３８１が嵌め込まれる。このとき、カバー部８は、前端側に重心があるため、凹部８５と突起部３８１との嵌合部分を中心として回動しようとする。しかし、突条部８４が凹溝部３８に係止される。これにより、カバー部８は立壁部３に着脱自在に取り付けられる。
【００４７】
カバー部８は、凹溝部３８に取り付けられると、天面部４の前端よりも前方に突出する。すなわち、カバー部８は、水切り部７１５よりも前方に突出している。なお、カバー部８は、凹溝部３８に取り付けられた状態で、照明装置６からの光を遮らないように配置される。
【００４８】
カバー部８は、例えばアルミにより成形されている。カバー部８は、例えば、押出成形により成形される。なお、カバー部８は、合成樹脂により形成されていてもよい。この場合、例えば射出成形や注型成形や押出成形などの樹脂成形方法により形成される。
【００４９】
厨房装置の天面部４には、湯呑みやコップ等の載置物が載置される。この載置物に水等が貯留された状態で、何らかの理由で載置物が倒れると、水等は、天面部４から前面部７１３を伝って流下し、水切り部７１５を介して落下する。このとき、水等の落下する箇所にコンセント部５が位置すると、コンセント部５に水等が付着する可能性がある。
【００５０】
しかしながら本実施形態の厨房装置には、コンセント部５の上方に、前方に突出するカバー部８が設けられているため、水等は、カバー部８の上面に落下する。水等は、カバー部８の庇部８１を伝って下方に流下し、立上部８２にまで移動する。水等は、庇部８１の下端の左右方向の端部から落下する。水等は、コンセント部５に付着することなく、調理スペース１４又はシンク１３に落下する。
【００５１】
本実施形態のカバー部８は、水切り部７１５よりも前方に突出している。このため、大量の水等が天面部４から流下した場合、その水等は、水切り部７１５を介して庇部８１上に落下する。庇部８１に勢いよく落下した水等の一部は、前側上方に向かって跳ね返る。その他の一部は、上述のように庇部８１を伝って流下する。
【００５２】
以上説明したように、本実施形態の厨房装置は、調理台１と、立壁部３と、天面部４と、プラグ差込口５３と、カバー部８とを備えている。立壁部３は、調理台１に立設されている。天面部４は、立壁部３の上端に設けられている。天面部４は載置物を載置可能なように構成されている。プラグ差込口５３は、立壁部３において、天面部４よりも下方に設けられている。カバー部８は、プラグ差込口５３の上方を覆うようにして立壁部３に設けられている。
【００５３】
このように本実施形態の厨房装置は、プラグ差込口５３の上方にカバー部８が設けられているため、仮に、水等の入った載置物が天面部４上で倒れた場合であっても、プラグ差込口５３に流入するのを防ぐことができる。
【００５４】
また本実施形態のプラグ差込口５３は、調理スペース１４側に面する立壁部３の側面に配置されている。このため本実施形態の厨房装置は、使用者に対し、調理スペース１４において調理器具を手元で使用し易くすることができる。
【００５５】
また、本実施形態のプラグ差込口５３は、コンセント部５に設けられている。カバー部８の横方向の長さは、コンセント部５の横方向の長さよりも長く形成されている。このため、本実施形態の厨房装置は、天面部４から水等が流下した場合であっても、水等がプラグ差込口５３に入り込むのを防ぐことができるだけでなく、コンセント部５と立壁部３との間の隙間から水等が入り込むのも防ぐことができる。
【００５６】
また本実施形態のカバー部８は、前方に向かうほど下方に位置するよう傾斜している。このためカバー部８は、カバー部８に付着した水等を、左右方向に回り込んでコンセント部５に伝い落ちる前に、前端側に流下させることができる。
【００５７】
また本実施形態の厨房装置は、横方向に長い凹溝部３８が、天面部４よりも下方に形成されている。カバー部８には、凹溝部３８に挿入される突条部８４が設けられている。突条部８４が凹溝部３８に挿入されることでカバー部８が立壁部３に着脱自在に取り付けられている。
【００５８】
本実施形態のカバー部８は、立壁部３に対し着脱自在に取り付けられているため、取り外して清掃をすることもできる。このため、使用者は、厨房装置を清潔に保つことができる。
【００５９】
また本実施形態のカバー部材８０は、庇部８１と、突条部８４とを備えている。庇部８１は、プラグ差込口５３を覆う。突条部８４は、庇部８１の後端に設けられている。カバー部材８０は、立壁部３のプラグ差込口５３よりも上方に設けられた横方向に長い凹溝部３８に、突条部８４が挿入される。これによりカバー部材８０は、立壁部３に着脱自在に取り付けられる。
【００６０】
このように本実施形態のカバー部材８０は、ハンギングレール等の既存の凹溝部３８を利用して、取り付けることができる。このため、本実施形態のカバー部材８０は、厨房装置の設置後の後付けも容易である。
【００６１】
また、本実施形態の厨房装置は、カバー部８の上方に設けられた水切り部７１５を有している。このため、天面部４から流下する水等は水切り部７１５を介して落下する。したがって、照明装置６に水等が流下しにくい構造となっている。しかも、大量に落下する水等は、庇部８１に着水して跳ね返るものの、庇部８１が前方に向かうほど下方に位置するよう傾斜しているため、照明装置６側には跳ね返りにくい。つまり、本実施形態のカバー部８は、照明装置６への水等の跳ね返りをも防ぐことができる。
【００６２】
なお、本実施形態のカバー部８は、照明装置６や水切り部７１５の下方に設けられていたが、本発明においては、照明装置６や水切り部７１５はなくてもよい。また、本発明において、プラグ差込口の位置は、調理スペースの上方に限られない。
【００６３】
また本実施形態の厨房装置のコンセント部５は、副台部２の調理スペース１４側の側面に設けられていたが、本発明のコンセント部は、本実施形態の位置に限定されない。また、本発明のコンセント部としては、プラグ差込口に並設するようにして、別の機能の接続部（例えば、ＬＡＮケーブル用のコネクタ等）が設けられていてもよい。また、プラグ差込口は複数並設されていてもよい。
【００６４】
また、本実施形態のカバー部８は、立壁部３とは別体となっており、立壁部３に着脱自在に取り付けられていた。しかしながら、本発明のカバー部は、立壁部に一体的に固定されたものであってもよい。
【符号の説明】
【００６５】
１      調理台
２      副台部
３      立壁部
３１    立壁部本体
３２    表面板
３３    第１の木質板
３４    第２の木質板
３５    第３の木質板
３７    切欠部
３８    凹溝部
４      天面部
４１    張出部
５      コンセント部
５１    コンセント部本体
５２    コンセントカバー
５３    プラグ差込口
６      照明装置
６２    導光部材
６４    出射面
７      設置台
７１    設置台本体
７２    係止具
７３    前カバー
８      カバー部
８０    カバー部材
８１    庇部
８２    立上部
８３    垂下片部
８４    突条部
【図１】
2013215470.tif 000003
【図２】
2013215470.tif 000004
【図３】
2013215470.tif 000005
【図４】
2013215470.tif 000006